(57)【要約】      （修正有）【課題】電話帳のシークレットデータをひとつひとつ設定する必要のない携帯無線端末を提供する。【解決手段】電話帳データ１１に登録する名前に性別情報を付加することで、性別個人に関する情報を性別的に一括してシークレット化設定することができる。また、あらかじめ期間、曜日、時間を設定し、設定した日時になると自動的に情報の表示手段への表示を管理することで、プライバシーモードを発動させることを忘れることを防ぐことができる。【選択図】      図１
2004236250.tif 000002
【特許請求の範囲】
【請求項１】
個人に関する情報を登録することができる携帯無線端末において、
前記個人に関する情報や操作コードを入力する操作手段と、
入力された前記個人に関する情報を記憶する記憶手段と、
表示手段と、
操作コードに応じて、前記個人に関する情報の前記記憶手段への記憶や前記表示手段への表示の制御を行う制御手段とを設け、
前記個人に関する情報に性別を示す性別情報を付与する手段を備えており、前記制御手段は、携帯無線端末の所有者に関する情報に付与された性別情報と異なる性別情報を持った個人に関する情報と、同じ性別情報を持った個人に関する情報に対して、前記表示手段への表示に関して異なる制御を行うことを特徴とする携帯無線端末。
【請求項２】
前記制御手段は、前記所有者に関する情報に付与された性別情報と同じ性別情報を持った個人に関する情報を前記表示手段へ表示し、異なる性別情報を持った個人に関する情報を表示しないことを特徴とする請求項１に記載の携帯無線端末。
【請求項３】
前記性別情報に基づいて行なわれる異なる制御は、プライバシーモードにおいてなされることを特徴とする請求項１または請求項２に記載の携帯無線端末。
【請求項４】
時計手段を設けているとともに、予め前記プライバシーモードの日付、時間を設定すると、前記制御手段は、前記時計手段が示す時間を参照し、設定された日付の設定された時間になると、前記プライバシーモードを発動させることを特徴とする請求項３に記載の携帯無線端末。
【請求項５】
前記記憶手段に、団体に関する情報を登録すると、前記制御手段が、その団体に関する情報に中性を示す性別情報を付与し、前記所有者に関する情報に付与された性別情報に係わらず前記表示手段へ表示されるようにしたことを特徴とする請求項１乃至請求項４のいずれかに記載の携帯無線端末。
【請求項６】
前記性別情報は、性別を視覚的に表す性別アイコンのデータを持ち、前記表示手段に表示されることを特徴とする請求項１乃至請求項５のいずれかに記載の携帯無線端末。
【発明の詳細な説明】
【０００１】
【発明の属する技術分野】
本発明は、携帯無線端末に関するものである。
【０００２】
【従来の技術】
携帯電話機等の携帯無線端末は、個人や団体に関する情報を記憶させておく機能が増え、氏名、電話番号、住所、メールアドレス等の情報を、内蔵したメモリから成る記憶部の電話帳エリア（以下「電話帳」という）に登録できるようになっている。それにしたがって、第３者にみられたくない情報（シークレットデータ）、特に異性に関する情報を記憶させておくケースが増えてきた。そのため、携帯無線端末を紛失する、もしくは会社、店等に置き忘れた場合に、第３者にシークレットデータを見られる可能性があり、その対策機能が設けられてきた。
【０００３】
その対策機能の一つとして、シークレットデータを表示画面上で表示できないようにするプライバシーモードの設定機能が設けられてきた。例えば、携帯無線端末内の電話帳に登録してある知人の氏名、電話番号、メールアドレス、住所等を表示できない状態にするように、データに参照できない旨を示す記号を付ける（例：鍵マークＯＮ等）。そして、データを見られてしまう可能性がある度ごとに、設定メニューからプライバシーモードを設定し、シークレットデータを見えなくしていた。
【０００４】
図１０に従来の携帯無線端末のプライバシーモード設定画面の一例を示す。従来の項目編集画面１２４には、上段から、氏名、カタカナ名、グループＮＯ、電話番号（有線）、電話番号（携帯）、メールアドレス、住所等が表示されている。シークレット設定状態を示すシークレット欄１２７は、その情報がシークレット化されているかどうかを示している。図１０の従来の項目編集画面１２４では、シークレットは設定されておらずＯＦＦ表示になっている。
【０００５】
ＯＮに設定する場合は、サブメニューボタンより、サブメニュー画面１２５を呼び出し、その画面上でシークレットＯＮを選択し、決定ボタンにより決定する。そうすると、プライバシーモードを発動した場合に、シークレット設定された個人情報が表示画面上に表示されなくなる。
【０００６】
一方、シークレットとは関係ない先行技術として、特許文献１には、着呼番号または発呼番号を制御部が抽出し、電話帳メモリで検索し、検索対象番号が電話帳メモリに登録されていることが判明した場合は、この番号に対応する属性項目の電話帳メモリ内における登録状態を調べ、未登録属性項目が存在すればそれを表示部に表示し、通信端末装置保持者からの登録作業実行意思表示を受けて、登録のための編集モードに切り替わる通信端末装置が提案されている。
【０００７】
【特許文献１】
特開２００２―１３５３９８号公報（第２―４項、第１図）
【０００８】
【発明が解決しようとする課題】
しかし、上述した従来のシークレット機能では、ユーザがシークレットデータのひとつひとつにプライバシーモードのＯＮ／ＯＦＦの設定をしなければならなかった。またシークレットデータを見せたくない時間に合わせて自分で毎回プライバシーモードの設定／解除を行わなければならず、設定することを忘れてしまう恐れもあった。
【０００９】
本発明は、上記の問題点に鑑み、シークレットデータの設定を１つずつ行なう必要のない携帯無線端末を提供することを目的とする。
【００１０】
【課題を解決するための手段】
上記目的を達成するために本発明は、電話帳に登録する個人に関する情報に性別を示す性別情報を付与することにより、携帯無線端末の所有者の性別と異なる性別の個人に関する情報を、一括してシークレット化することができ、また時間予約をすることで自動的にプライバシーモードを発動することができる。
【００１１】
具体的には、操作手段と、表示手段と、記憶手段と、制御手段とを設けた携帯無線端末とする。操作手段からは、個人に関する情報を入力し、また携帯無線端末の操作を行う。記憶手段には、電話帳としての記憶エリアを有し、個人に関する情報を記憶する。表示手段には、記憶された個人に関する情報等を表示する。制御手段は、個人に関する情報の記憶手段への記憶や表示手段への表示の制御を行う。そして個人に関する情報に性別を示す性別情報を付与すると、携帯無線端末の所有者の性別と異なる個人に関する情報を、表示手段へ表示させないスーパープライバシーモード（以下、ＳＰモードと記載）を発動する構成とする。
【００１２】
この構成によると、情報ひとつひとつにシークレット化の設定をすることを必要とせずに、携帯無線端末の所有者の性別と異なる性別情報を持つ個人に関する情報を、ＳＰモードにおいて表示画面上に表示されない様にすることができる。
【００１３】
また本発明は、現在の時間を示す時計手段を設け、ユーザが予め日付、時間を設定すると、制御手段が時計手段から時間を参照し、設定された日付の設定された時間になると、ＳＰモードを発動する構成とする。
【００１４】
この構成によると、予約した時間になると自動的にＳＰモードが発動し、発動させることを忘れることを防止できる。
【００１５】
また本発明は、性別情報に、性別を視覚的に表す性別アイコン（男性用）（女性用）（中性用：団体等）のデータを持たせ、表示画面上に表示される構成とする。
【００１６】
この構成によると、画面上で性別を視覚的に確認でき、間違った性別情報が付与されていた場合に、修正することができる。
【発明の実施の形態】
以下に、本発明の実施形態について図面を参照して説明する。図１は、本実施形態の携帯無線端末のブロック構成図である。
【００１７】
携帯無線端末は、操作部１と、アンテナ２と、無線部３と、制御部４と、表示部５と、音声入出力部６と、記憶部７と、時計部８等で構成されている。アンテナ２は、無線信号を受信し、また発信する。無線部３は、受信した無線信号を復調し、発信する情報を無線信号に変調する。操作部１はキー等を備え、ユーザが情報や操作コードを入力する。表示部５は液晶ディスプレイ等から成り、入力された情報等を表示する。音声入出力部６はマイクとスピーカを備え、マイクを通じて入力された音声信号を無線部３に伝え、また無線部３から入力された音声信号をスピーカより音声出力する。記憶部７は、通信相手の個人情報を記憶する性別参照データ９、性別アイコンデータ１０、電話帳データ１１等から成っており、ユーザから入力された情報を記憶する。時計部８は、現在の日時を示す。制御部４は、操作部１からの操作コードを受け付け、記憶部７から情報を読み出したり、記憶部７に情報を書き込んだり、表示部５に出力信号を送ったり、また無線部３に送受信の指示を行う。
【００１８】
次に、図２を用いて、電話帳データ１１の構成について説明する。電話帳データ１１には複数の入力単位に区分された電話帳データテーブル１２が形成されている。個々の入力単位には氏名もしくは団体名、カタカナ名、グループＮＯ、電話番号（有線）、電話番号（携帯）、メールアドレス、住所等の通信相手の属性項目が入力されている。属性項目のいずれかを編集画面において操作部１より入力すると、その情報は制御部４を通じて記憶部７に伝送され、電話帳データ１１に登録される。
【００１９】
なお、電話帳データ１１には性別エリア１３が設けられていて、登録されている個人や団体等の性別情報として性別アイコンのデータ（図４参照）が付与されている。制御部４は、性別参照データ９（図３参照）を参照して、電話帳データ１１の性別エリア１３に対して性別アイコンを付与する。
【００２０】
次に、図３を用いて性別参照データ９の構成について説明する。性別参照データ９は、名前に性別が当てられており名前を検索することにより、性別を参照することができる。性別参照データ９には、名前が、漢字名、カタカナ名、ひらがな名で記載されており、どれでも参照できるようになっている。
【００２１】
性別を参照する方法は、まず入力された名前を、性別参照データ９で参照して、男性の性別にあたるかどうか検索する。もし男性であれば、男性の性別アイコンを性別エリア１３に付与する。もし男性でなかったら、女性の性別にあたるかどうか検索する。もし女性であれば、女性の性別アイコンを性別エリア１３に付与する。名前がどちらにもなければ、中性の性別アイコンを性別エリア１３に付与する。「まこと」「ちあき」といった、男性、女性両方に用いられる可能性がある名前については、どちらかの性別が当てられており、もし性別参照データ９で参照された性別が登録した個人の性別と違っている場合や、性別参照データ９に名前が見あたらず中性の性別が与えられた場合は、ユーザがマニュアル修正できるようになっている（図６参照）。
【００２２】
また、電話帳データ１１には、個人の名前の他に、会社、役所、病院等の団体名を入力する場合もある。この場合は、上記方法によれば中性の性別が与えられる。もし間違って、男性もしくは女性の性別が与えられていても、上記同様、マニュアルで修正することが可能である。
【００２３】
次に、図４を用いて性別アイコンデータ１０の構成について説明する。性別アイコンデータ１０は、男性、女性、中性を視覚的に表した各性別アイコンのデータで構成されており、各性別アイコンのデータは性別の情報を有している。電話帳データ１１に氏名を登録し、制御部４により性別参照データ９を用いて性別が参照されると、性別情報として、その性別に対応した性別アイコンのデータが、電話帳データ１１の性別エリア１３に付与される。項目編集画面１４（図５参照）において、氏名の先頭に表示され見ることができ、付与された性別情報が適当な情報であるかどうかを確認できる。もし間違った性別情報が与えられていたら、編集画面においてマニュアル修正することができる。
【００２４】
なお性別情報に音声データを持たせ、音声入出力部６より音声出力するように制御しても良い。男性の情報の場合は男性の声を出力し、女性の情報の場合は女性の声を出力し、中性の情報の場合は機械的な声を出力し、名前を読み上げたりすることも可能である。
【００２５】
次に、図５を用いて、項目編集画面１４の構成について説明する。電話帳データテーブル１２に登録された情報を、表示部５に表示させた画面の一例である。最上欄には、氏名欄２８があり、その先頭には、性別アイコンが表示されていて性別が確認できる。以下の欄に、カタカナ名、グループＮＯ、電話番号（有線）、電話番号（携帯）、メールアドレス、住所等が表示されている。この表示内容を修正したい場合は、下端のサブメニューボタン２９より、編集サブメニュー画面２４（図６参照）に移る。
【００２６】
次に、図６を用いて、項目編集画面１４に表示された内容の修正方法の一例について説明する。例えば、もし間違った性別情報が与えられていた場合は、サブメニューボタン２９より、編集サブメニュー画面２４を呼び出し、▲９▼性別情報欄１５を選択する。すると、編集サブメニュー画面の２ページ目２５に移り、▲１▼男性、▲２▼女性、▲３▼中性の内から選択することにより、修正できる。修正すると、適当な性別アイコンのデータが新しく性別エリア１３に付与される。▲９▼性別情報以外の項目を修正する場合も同様に、編集サブメニュー画面２４で修正項目を選択し、編集画面に移り、修正することができる。
【００２７】
また、新規に入力する場合も、編集サブメニュー画面２４から入力項目を選択し、編集画面で入力することができる。なお、以上の修正方法は、あくまで一例であり、編集画面の仕様、名前等は固定のものではない。
【００２８】
次に、図７を用いて、ＳＰモードの設定方法の一例について説明する。ＳＰモードとは、電話帳データ１１に付与された性別情報に基づいて、携帯無線端末の所有者の性別と異なる性別情報を持った個人に関する情報を一括してシークレット化できるプライバシーモードである。ＳＰモードを設定するためには、まずトップメニュー画面１６で、設定する対象を選択する。トップメニュー画面１６には、▲１▼インターネット、▲２▼音、▲３▼表示、▲４▼時計／メモ、▲５▼その他の設定項目が表示されている。▲５▼その他の設定を選択し決定すると、モード設定画面１７へ移る。
【００２９】
モード設定画面１７では、設定するモードを選択でき、▲１▼サービス、▲２▼プライバシー、▲３▼一般設定等が表示されている。▲２▼プライバシーを選択し決定すると、プライバシーモード選択画面１８へ移る。なお、モード設定画面１７以降の画面の最上欄には、現在の設定状況が確認できる設定状況確認欄２６が表示される。四角枠内の数字は、前画面で選択した項目数字であり、画面が進むに従い、選択した項目の数字が順次、後ろに追加されていく。
【００３０】
プライバシーモード選択画面１８では、設定するプライバシーモードを選択する。▲１▼ＳＰモードは、ＳＰモードの選択、▲２▼電話帳使用禁止は、電話帳を使えなくするモードの選択、▲３▼ダイヤル発信禁止は、電話の発信を禁止するモードの選択等である。▲１▼ＳＰモードを選択し決定すると、暗証番号入力画面１９へ移る。
【００３１】
暗証番号入力画面１９では、数桁の暗証番号を入力し決定ボタンを押すと、暗証番号が照合される。照合の結果、暗証番号が正しければ、ＳＰモード選択画面２０に移る。もし、暗証番号が正しくなければ、再度、暗証番号入力画面１９が表示され暗証番号を入力できる。
【００３２】
ＳＰモード選択画面２０では、▲１▼ＯＮ（即時）、▲２▼ＯＮ（ａｔ予約日時）、▲３▼ＯＦＦのどれかを選択する。▲１▼ＯＮ（即時）を選択し、決定するとＳＰモードが即時発動し、待ち受け画面に戻る。▲２▼ＯＮ（ａｔ予約日時）を選択し、決定すると、ＳＰモード表示画面２１へ移り、ＳＰモードが発動する日付、時間が表示される。設定された曜日には、設定曜日記号２７が表示される。図７の例では、土曜日と日曜日が設定されている。表示された設定で問題なければ、決定し、待ち受け画面に戻る。設定された日付、時間になると自動的にＳＰモードが発動する。▲３▼ＯＦＦを選択し、決定するとＳＰモードが解除される。
【００３３】
ＳＰモード表示画面２１で示された設定条件を修正する場合は、修正ボタン３０を押し、ＳＰモード編集項目選択画面２２（図８参照）に移る。図８を用いて、ＳＰモードの設定を修正する方法の一例について説明する。例えば、▲１▼日付を選択し、決定するとＳＰモード発動日設定画面２３に移る。この画面では、ＳＰモードが発動する期間を、始まり日と終了日を設定できる。一日だけの場合は、始まり日と終了日を同じ日に設定すれば良い。日付を設定し、決定すると、ＳＰモード表示画面２１に戻る。設定内容に問題なければ、決定ボタンを押して、待ち受け画面に戻る。
【００３４】
また、ＳＰモード編集項目選択画面２２において、▲１▼日付以外の項目である▲２▼時間、▲３▼曜日を選択すると、それぞれの設定画面に移る。ここで、▲２▼時間、▲３▼曜日を選択し、決定すると、ＳＰモード表示画面２１に戻る。設定された内容に問題なければ、決定し、待ち受け画面に戻る。設定された期間の時間、曜日になると、ＳＰモードが発動する。なお、以上のＳＰモードの設定を修正する方法は、あくまで一例であり、画面の仕様、名前等は固定のものではない。
【００３５】
次に、ＳＰモード対象の個人に関する情報について説明する。他の個人や団体と同様に、携帯無線端末の所有者にも、項目編集画面１４に示すように、氏名、カタカナ名、電話番号（有線）、電話番号（携帯）、メールアドレス等の情報を記憶部７に登録させることができる。氏名を登録すると、他の個人や団体に関する情報と同様に、性別参照データ９を参照して、性別情報が付与される。ＳＰモードが発動すると、携帯無線端末の所有者の性別情報と異なる性別情報を持つ個人に関する情報が表示部５に表示されなくなる。例えば、携帯無線端末の所有者が、男性であれば、女性の登録者の情報が表示されなくなる。
【００３６】
本実施形態では、性別情報に基づいて、所有者と異なる性別の個人情報を一括してシークレット化することが特徴であるが、編集サブメニュー画面２４で、▲８▼シークレット項目欄を選択し、設定することで、所有者と同じ性別情報を持つ個人情報やまた、中性としての性別情報が与えられる団体に関する情報に対しても、情報個々に設定ができ、シークレット化できる。その場合は、所有者と異なる性別の個人情報に加えて、個々に設定された情報が、表示部５に表示されなくなる。
【００３７】
次に、制御部４が、電話帳データ１１に入力された名前や団体名称の性別を判断し、性別エリア１３に、性別情報や性別アイコンを入力する制御フローを、図９を用いて説明する。
【００３８】
ステップＳ１において名前が入力済みかどうかを判断する。名前が入力済みであれば、ステップＳ２に進む。入力していない場合は、入力されるまで判断処理を繰り返す。ステップＳ２では、登録された名前や名称に対して、性別参照データ９を用いて性別を参照する。ステップＳ３においては、参照した結果、男性であるかどうかを判断する。入力された名前が、男性用であれば、ステップＳ５に進み、性別エリア１３に、性別情報として男性アイコンのデータを入力する。入力された名前が、男性用でなければ、ステップＳ４に進む。ステップＳ４では、名前が女性用かどうか判断する。入力された名前が、女性用であれば、ステップＳ６に進み、性別エリア１３に性別情報として女性アイコンのデータを入力する。入力された名前が、女性用でなければ、ステップＳ７に進み、性別エリア１３に、性別情報として中性アイコンのデータを入力する。
【発明の効果】
記憶手段に登録した個人や団体に関する情報に性別情報を付与し、性別情報に基づいてプライバシーモードの管理をすることで、情報が性別的に一括的に管理され、シークレットデータの設定をひとつひとつに行わなくても良い。
【００３９】
ユーザがあらかじめ期間、曜日、時間を設定し、設定した日時になると自動的に情報の表示手段への表示を管理することで、プライバシーモードを発動させることを忘れることを防げる。
【００４０】
個人や団体に関する情報に性別アイコンデータ（男性用）（女性用）（中性用：団体等）を付与し、画面上に表示することで、視覚的に性別を見ることができ、間違った性別情報が与えられていないか確認できる。
【図面の簡単な説明】
【図１】本発明の実施形態である携帯無線端末のブロック構成図。
【図２】本発明の実施形態である携帯無線端末の電話帳データ構成図。
【図３】本発明の実施形態である携帯無線端末の性別参照データ構成図。
【図４】本発明の実施形態である携帯無線端末の性別アイコンデータ構成図。
【図５】本発明の実施形態である携帯無線端末の項目編集画面の一例。
【図６】本発明の実施形態である携帯無線端末の電話帳データの性別情報修正画面の一例。
【図７】本発明の実施形態である携帯無線端末のＳＰモード設定画面の一例。
【図８】本発明の実施形態である携帯無線端末のＳＰモード修正画面の一例。
【図９】本発明の実施形態である携帯無線端末の電話帳データの性別情報付与フロー図。
【図１０】従来の携帯無線端末の電話帳データのシークレット化画面の一例。
【符号の説明】
１    操作部
２    アンテナ
３    無線部
４    制御部
５    表示部
６    音声入出力部
７    記憶部
８    時計部
９    性別参照データ
１０    性別アイコンデータ
１１    電話帳データ
１２    電話帳データテーブル
１３    性別エリア
１４    項目編集画面
１５    性別情報欄
１６    トップメニュー画面
１７    モード設定画面
１８    プライバシーモード選択画面
１９    暗証番号入力画面
２０    ＳＰモード選択画面
２１    ＳＰモード表示画面
２２    ＳＰモード編集項目選択画面
２３    ＳＰモード発動日設定画面
２４    編集サブメニュー画面（１ページ目）
２５    編集サブメニュー画面（２ページ目）
２６    設定状況確認欄
２７    設定曜日記号
２８    氏名欄
２９    サブメニューボタン
３０    修正ボタン
１２４    従来の項目編集画面
１２５    サブメニュー画面
１２７    シークレット欄
【図１】
2004236250.tif 000003
【図２】
2004236250.tif 000004
【図３】
2004236250.tif 000005
【図４】
2004236250.tif 000006
【図５】
2004236250.tif 000007
【図６】
2004236250.tif 000008
【図７】
2004236250.tif 000009
【図８】
2004236250.tif 000010
【図９】
2004236250.tif 000011
【図１０】
2004236250.tif 000012